(57)【要約】【課題】光透過性を有し、かつ、高い信頼性の照明装置及び照明システムを提供する。【解決手段】実施形態に係る照明装置は、第１基板と第１導電層と第１電極と有機層と第２電極とを備えた照明装置が提供される。第１基板は、第１領域と、第１方向において第１領域と並ぶ第２領域と、を含む主面を有する。第１導電層は、第２領域の上に設けられた光反射性の導電部と、並べて配置された複数の開口と、を有する。第１電極、有機層、第２電極の順に積層する。第２電極は、有機層の上に設けられた複数の第１部分と、第１導電層の上に設けられ複数の第１部分のそれぞれに接続され第１導電層に電気的に接続された複数の第２部分と、を有する。複数の第１部分は、第１方向に延び、第２方向に並ぶ。【選択図】図１
2017204324.tif 000002
【特許請求の範囲】
【請求項１】
第１領域と、第１方向において前記第１領域と並ぶ第２領域と、を含む主面を有する第１基板と、
前記第２領域の上に設けられた光反射性の導電部と、並べて配置された複数の開口と、を有する第１導電層と、
前記第１領域の上に設けられた第１電極と、
前記第１電極の上に設けられた有機層と、
前記有機層の上に設けられた複数の第１部分と、前記第１導電層の上に設けられ前記複数の第１部分のそれぞれに接続され前記第１導電層に電気的に接続された複数の第２部分と、を有する第２電極であって、前記複数の第１部分は、前記第１方向に延び、前記第１方向と交差する第２方向に並ぶ第２電極と、
を備える照明装置。
【請求項２】
前記第１導電層と前記第２領域との間に設けられた光透過性の第２導電層をさらに備えた請求項１記載の照明装置。
【請求項３】
前記第１導電層の上に設けられ、前記導電部の少なくとも一部を露出させる開口を有する光透過性の絶縁層をさらに備え、
前記複数の第２部分は、前記絶縁層の上に設けられ、前記絶縁層の前記開口を介して前記第１導電層と電気的に接続される請求項１又は２に記載の照明装置。
【請求項４】
前記第１導電層の前記複数の開口は、前記第１方向及び前記第２方向に並び、
前記複数の開口のそれぞれの前記第２方向の長さをＬｈとし、
前記複数の第２部分のそれぞれの前記第２方向の長さをＬｄとするとき、
前記第２電極及び前記第１導電層は、Ｌｈ＜Ｌｄの関係を満たす請求項１〜３のいずれか１つに記載の照明装置。
【請求項５】
前記第１導電層は、六角格子状であり、
前記複数の開口のそれぞれの前記第２方向の長さをＬｈとし、
前記複数の第２部分のそれぞれの前記第２方向の長さをＬｄとするとき、
前記第２電極及び前記第１導電層は、Ｌｈ＜Ｌｄの関係を満たす請求項４記載の照明装置。
【請求項６】
前記第１導電層の前記複数の開口は、前記第１方向に延び、前記第２方向に並び、
前記複数の開口のそれぞれの前記第２方向の長さをＬｈとし、
前記複数の第２部分のそれぞれの前記第２方向の長さをＬｄとするとき、
前記第２電極及び前記第１導電層は、Ｌｈ＜Ｌｄの関係を満たす請求項１〜３のいずれか１つに記載の照明装置。
【請求項７】
前記第１導電層の前記複数の開口は、前記第２方向に延び、前記第１方向に並び、
前記複数の開口のそれぞれの前記第１方向の長さをＬｈとし、
前記複数の第２部分のそれぞれの前記第１方向の長さをＬｄとするとき、
前記第２電極及び前記第１導電層は、Ｌｈ＜Ｌｄの関係を満たす請求項１〜３のいずれか１つに記載の照明装置。
【請求項８】
前記第２電極の上に設けられた第２基板と、
前記第１基板と前記第２基板との間に設けられ、前記第１基板及び前記第２基板とともに、前記有機層を封止する封止部と、
をさらに備え、
前記複数の第２部分は、前記第１基板と前記第２基板と前記封止部とに囲まれた空間内に設けられる請求項１〜７のいずれか１つの記載の照明装置。
【請求項９】
前記第１電極と前記第２電極とに電気的に接続され、前記第１電極及び前記第２電極を介して前記有機層に電流を供給する電源部をさらに備えた請求項１〜８のいずれか１つに記載の照明装置。
【請求項１０】
前記第１領域は、発光領域であり、前記第２領域は、非発光領域である請求項１〜９のいずれか１つに記載の照明装置。
【請求項１１】
請求項１〜１０のいずれか１つに記載の複数の照明装置と、
前記複数の照明装置のそれぞれと電気的に接続され、前記複数の照明装置のそれぞれの発光・非発光を制御する制御部と、
を備えた照明システム。
【発明の詳細な説明】
【技術分野】
【０００１】
本発明の実施形態は、照明装置及び照明システムに関する。
【背景技術】
【０００２】
第１電極と、第２電極と、第１電極と第２電極との間に設けられた有機層と、を含む有機電界発光素子を光源として用いる照明装置がある。複数の照明装置と、これら複数の照明装置の発光及び非発光を制御する制御部と、を含む照明システムがある。有機電界発光素子を用いた照明装置では、光の透過可能な第１電極及び第２電極を用いることにより、装置自体に光透過性を持たせることが行われている。このような照明装置において、信頼性の向上が望まれる。
【先行技術文献】
【特許文献】
【０００３】
【特許文献１】特開２０１１−２４９５４１号公報
【発明の概要】
【発明が解決しようとする課題】
【０００４】
本発明の実施形態は、光透過性を有し、かつ、高い信頼性の照明装置及び照明システムを提供する。
【課題を解決するための手段】
【０００５】
本発明の実施形態によれば、第１基板と、第１導電層と、第１電極と、有機層と、第２電極と、を備えた照明装置が提供される。前記第１基板は、第１領域と、第１方向において前記第１領域と並ぶ第２領域と、を含む主面を有する。前記第１導電層は、前記第２領域の上に設けられた光反射性の導電部と、並べて配置された複数の開口と、を有する。前記第１電極は、前記第１領域の上に設けられる。前記有機層は、前記第１電極の上に設けられる。前記第２電極は、前記有機層の上に設けられた複数の第１部分と、前記第１導電層の上に設けられ前記複数の第１部分のそれぞれに接続され前記第１導電層に電気的に接続された複数の第２部分と、を有する。前記複数の第１部分は、前記第１方向に延び、前記第１方向と交差する第２方向に並ぶ。
【図面の簡単な説明】
【０００６】
【図１】図１（ａ）及び図１（ｂ）は、第１の実施形態に係る照明装置を表す模式図である。
【図２】第１の実施形態に係る照明装置を模式的に表す断面図である。
【図３】第１の実施形態に係る照明装置の一部を拡大して模式的に表す拡大平面図である。
【図４】図４（ａ）及び図４（ｂ）は、第１の実施形態に係る照明装置の一部を表す模式図である。
【図５】第１の実施形態に係る別の照明装置の一部を模式的に表す平面図である。
【図６】図６（ａ）及び図６（ｂ）は、第１の実施形態に係る別の照明装置を模式的に表す断面図である。
【図７】図７（ａ）及び図７（ｂ）は、第１の実施形態に係る別の照明装置を表す模式図である。
【図８】第１の実施形態に係る別の照明装置の一部を拡大して模式的に表す拡大平面図である。
【図９】第１の実施形態に係る別の照明装置の一部を拡大して模式的に表す拡大平面図である。
【図１０】第１の実施形態に係る別の照明装置の一部を拡大して模式的に表す拡大平面図である。
【図１１】第１の実施形態に係る別の照明装置の一部を拡大して模式的に表す拡大平面図である。
【図１２】図１２（ａ）〜図１２（ｇ）は、第１の実施形態に係る別の照明装置を模式的に表す平面図である。
【図１３】第１の実施形態に係る別の照明装置の一部を模式的に表す断面図である。
【図１４】第１の実施形態に係る別の照明装置を表す模式図である。
【図１５】図１５（ａ）〜図１５（ｃ）は、第２の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）及び図１（ｂ）は、第１の実施形態に係る照明装置を表す模式図である。  
図２は、第１の実施形態に係る照明装置を模式的に表す断面図である。  
図１（ａ）は、照明装置１１０の模式的断面図であり、図１（ｂ）は、照明装置１１０の模式的平面図である。図１（ａ）は、図１（ｂ）のＡ１−Ａ２線断面を模式的に表す。図２は、図１（ａ）のＢ１−Ｂ２線断面を模式的に表す。
【０００９】
図１（ａ）、図１（ｂ）及び図２に表したように、照明装置１１０は、第１基板５１と、第２基板５２と、素子部５４と、第１導電層６１と、を含む。なお、図１（ｂ）では、便宜的に第２基板５２、素子部５４などの図示を省略している。
【００１０】
第１基板５１は、光透過性である。第１基板５１は、例えば、透明である。第１基板５１は、第１面５１ａ（主面）を有する。第１面５１ａは、換言すれば、第１基板５１の上面である。ここで、第１面５１ａに対して平行な１つの方向をＸ軸方向とする。第１面５１ａに対して平行でＸ軸方向に対して垂直な方向をＹ軸方向とする。Ｘ軸方向及びＹ軸方向に対して垂直な方向をＺ軸方向とする。Ｚ軸方向は、換言すれば、第１面５１ａに対して垂直な方向である。
【００１１】
第１基板５１の第１面５１ａは、第１領域Ｒ１と、第２領域Ｒ２と、を有する。第２領域Ｒ２は、第１面５１ａに平行な第１方向において第１領域Ｒ１と並ぶ。第２領域Ｒ２は、例えば、Ｙ軸方向において第１領域Ｒ１と並ぶ。第２領域Ｒ２は、第１領域Ｒ１を囲む環状である。従って、この例では、第２領域Ｒ２が、Ｘ軸方向においても第１領域Ｒ１と並ぶ。第２領域Ｒ２は、必ずしも環状でなくてもよい。第２領域Ｒ２の並ぶ方向は、第１面５１ａに対して平行な任意の方向でよい。
【００１２】
第１基板５１をＸ−Ｙ平面に投影した形状は、四角形状である。すなわち、第１基板５１をＺ軸方向に見た形状は、四角形状である。第１面５１ａの形状は、四角形状である。この例では、第１領域Ｒ１の形状も、四角形状である。第１基板５１をＸ−Ｙ平面に投影した形状は、四角形状に限ることなく、例えば、三角形状や六角形状などの他の多角形状でもよいし、円形や楕円形などでもよい。第１基板５１をＸ−Ｙ平面に投影した形状は、任意の形状でよい。同様に、第１領域Ｒ１の形状は、任意の形状でよい。第１領域Ｒ１の形状は、例えば、第１基板５１をＸ−Ｙ平面に投影した形状の相似形である。第１領域Ｒ１の形状は、第１基板５１の形状と異なる形状でもよい。
【００１３】
第１導電層６１は、第２領域Ｒ２の上に設けられる。第１導電層６１は、光反射性である。第１導電層６１は、導電性を有する。第１導電層６１は、例えば、金属層である。第１導電層６１には、例えば、Ｍｏ／Ａｌ／Ｍｏの積層膜が用いられる。第１導電層６１は、Ｘ軸方向に延びる。第１導電層６１は、例えば、四角形状の第１基板５１のＸ軸方向に延びる１つの辺に沿う帯状である。
【００１４】
素子部５４は、第１電極１０と、第２電極２０と、有機層３０と、を含む。第１電極１０は、第１領域Ｒ１の上に設けられる。第１電極１０は、例えば、光透過性である。第１電極１０は、例えば、透明電極である。
【００１５】
有機層３０は、第１電極１０の上に設けられる。有機層３０は、有機発光層を含む。有機層３０は、例えば、光透過性を有する。有機層３０は、例えば、非発光状態において光透過性を有する。
【００１６】
第２電極２０は、有機層３０の上に設けられる。このように、素子部５４は、第１領域Ｒ１の上に設けられる。従って、第１領域Ｒ１は、換言すれば、有機層３０から放出された光が出射する発光領域である。第２領域Ｒ２は、例えば、光が放出されない非発光領域である。第２領域Ｒ２は、例えば、周辺領域である。
【００１７】
第２電極２０は、複数の導電部２０ａと、複数の開口部２０ｂと、を有する。複数の導電部２０ａのそれぞれは、第１方向に延び、第１方向と交差する第２方向に並ぶ。この例では、複数の導電部２０ａのそれぞれが、Ｙ軸方向に延び、Ｘ軸方向に並ぶ。第２方向は、Ｘ軸方向に限ることなく、Ｙ軸方向と交差する任意の方向でよい。複数の開口部２０ｂのそれぞれは、複数の導電部２０ａのそれぞれの間に配置される。複数の開口部２０ｂのそれぞれは、例えば、Ｙ軸方向に延びる溝状である。すなわち、この例では、第２電極２０が、ストライプ状である。
【００１８】
第２電極２０の各導電部２０ａは、例えば、光反射性を有する。各導電部２０ａの光反射率は、第１電極１０の光反射率よりも高い。本願明細書においては、第１電極１０の光反射率よりも高い光反射率を有している状態を光反射性という。各導電部２０ａは、光透過性でもよい。第２電極２０は、光反射性でもよいし、光透過性でもよい。
【００１９】
各導電部２０ａのそれぞれは、第１導電層６１の上に延在する延在部２０ｅを有する。各導電部２０ａのそれぞれは、延在部２０ｅを介して第１導電層６１と電気的に接続される。各導電部２０ａは、例えば、延在部２０ｅにおいて第１導電層６１に接する。すなわち、第２電極２０は、有機層３０の上に設けられた複数の第１部分２０ｐと、第１導電層６１の上に設けられ複数の第１部分２０ｐのそれぞれに接続され第１導電層６１に電気的に接続された複数の第２部分２０ｑ（延在部２０ｅ）と、を有する。複数の第１部分２０ｐは、Ｙ軸方向に延び、Ｘ軸方向に並ぶ。
【００２０】
このように、第１導電層６１は、Ｘ軸方向に延び、Ｘ軸方向に並ぶ各導電部２０ａのそれぞれと接続される。すなわち、第１導電層６１は、第２方向に延びる。第１導電層６１の第２方向の長さは、第２電極２０の第２方向の長さ以上である。なお、第１導電層６１の形状は、帯状に限ることなく、任意の形状でよい。第１導電層６１の形状は、第２方向に延び、各導電部２０ａとの接続が可能な任意の形状でよい。
【００２１】
この例において、素子部５４は、絶縁層４０をさらに含む。絶縁層４０は、第１電極１０と有機層３０との間に設けられる。すなわち、絶縁層４０は、第１電極１０の上に設けられる。有機層３０は、絶縁層４０の上に設けられる。絶縁層４０は、例えば、絶縁部４０ａと、開口部４０ｂと、を含む。開口部４０ｂは、第１電極１０の一部を露呈させる。開口部４０ｂは、Ｘ−Ｙ平面（Ｚ軸方向に対して垂直な平面）に投影した時に、第２電極２０の導電部２０ａと重なる位置に配置される。換言すれば、開口部４０ｂは、Ｚ軸方向に見たときに、導電部２０ａと重なる位置に配置される。絶縁層４０は、光透過性である。絶縁層４０は、例えば、透明である。
【００２２】
この例では、絶縁層４０が、複数の開口部４０ｂを含む。複数の開口部４０ｂのそれぞれは、Ｙ軸方向に延び、Ｘ軸方向に並ぶ。複数の開口部４０ｂのそれぞれは、例えば、溝状である。絶縁層４０は、例えば、ストライプ状である。この例では、複数の開口部４０ｂのそれぞれにより、第１電極１０の複数の部分が露呈される。以下では、第１電極１０のうちの開口部４０ｂによって露呈された部分を、露呈部１０ｐと称す。
【００２３】
この例では、Ｘ−Ｙ平面に投影した時に、複数の導電部２０ａのそれぞれが、複数の開口部４０ｂのいずれかと重なる。この例では、Ｘ−Ｙ平面に投影した時に、複数の導電部２０ａのそれぞれが、複数の開口部４０ｂのそれぞれと重なる。例えば、Ｘ−Ｙ平面に投影した時に、少なくとも１つの開口部４０ｂが、複数の導電部２０ａのそれぞれの間に配置されてもよい。
【００２４】
有機層３０は、Ｘ−Ｙ平面に投影した時に、絶縁層４０の開口部４０ｂと重なる第１重畳部３０ａと、絶縁部４０ａと重なる第２重畳部３０ｂと、を含む。有機層３０は、例えば、絶縁部４０ａの上及び複数の露呈部１０ｐのそれぞれの上に、連続して設けられる。このように、有機層３０の少なくとも一部は、第１電極１０の上において開口部４０ｂに設けられる。第２電極２０の少なくとも一部は、有機層３０のうちの、開口部４０ｂに設けられた少なくとも一部の上に設けられる。
【００２５】
なお、有機層３０は、絶縁部４０ａと重ならなくても良い。すなわち、有機層３０は、絶縁層４０の開口部４０ｂにのみ設けられていても良い。
【００２６】
有機層３０の厚さ（Ｚ軸方向に沿う長さ）は、絶縁層４０（絶縁部４０ａ）の厚さよりも薄い。有機層３０の第１重畳部３０ａの第１電極１０との界面（第１重畳部３０ａの下面）及び第１重畳部３０ａの第２電極２０との界面（第１重畳部３０ａの上面）のＺ軸方向の距離は、絶縁層４０の絶縁部４０ａのＺ軸方向の端部と第１電極１０との間のＺ軸方向の距離よりも短い。すなわち、第１重畳部３０ａの第２電極２０との界面（第１重畳部３０ａの上面）は、絶縁部４０ａの第１電極１０側と反対側の端部（絶縁部４０ａの上面）よりも下に位置する。これにより、例えば、第２電極２０の形成の際に、有機層３０を傷付けてしまうことを抑制することができる。
【００２７】
有機層３０は、複数の開口部４０ｂのそれぞれを介して第１電極１０と電気的に接続される。有機層３０の複数の第１重畳部３０ａのそれぞれは、例えば、第１電極１０の複数の露呈部１０ｐのそれぞれに接する。これにより、有機層３０が、第１電極１０と電気的に接続される。
【００２８】
有機層３０は、第２電極２０と電気的に接続される。有機層３０は、例えば、複数の導電部２０ａのそれぞれに接する。これにより、有機層３０が、第２電極２０と電気的に接続される。なお、本願明細書において、「電気的に接続」には、直接接触する場合のほか、間に他の導電部材などが介在する場合も含む。
【００２９】
第２基板５２は、第２電極２０の上に設けられる。換言すれば、第２基板５２は、Ｚ軸方向において第１基板５１と並ぶ。第２基板５２は、第１基板５１と対向する。第２基板５２は、光透過性である。第２基板５２は、例えば、透明である。
【００３０】
第１基板５１と第２基板５２との間には、封止部５８が設けられる。封止部５８は、例えば、第２基板５２の外縁に沿う環状である。封止部５８は、例えば、第２基板５２を第１基板５１に接着する。これにより、封止部５８は、第１基板５１及び第２基板５２とともに、有機層３０を封止する。すなわち、有機層３０は、第１基板５１と第２基板５２と封止部５８とに囲まれた空間ＳＰ内に設けられる。封止部５８は、例えば、第２基板５２を第１基板５１に溶着してもよい。
【００３１】
第２基板５２には、第１基板５１と対向する面に凹部が設けられている。凹部は、有機層３０を収容可能な形状に形成される。第２基板５２は、凹部によって有機層３０を封止する空間ＳＰを形成する。
【００３２】
凹部は、第１基板５１に設けてもよい。なお、凹部は、必ずしも設けなくてもよい。すなわち、第１基板５１と第２基板５２との双方が平板状でもよい。凹部を設けない場合には、例えば、封止部５８に複数のスペーサを分散させる。このように、第１基板５１と第２基板５２との間に複数のスペーサを設け、各スペーサによって有機層３０を封止する空間ＳＰを形成してもよい。
【００３３】
図２に表したように、各導電部２０ａの延在部２０ｅは、空間ＳＰ内に設けられる。第１導電層６１の一部は、空間ＳＰの外側に延在する。これにより、第１導電層６１の空間ＳＰの外側に延在した部分は、第２電極２０の電極パッドとして機能する。第１導電層６１の空間ＳＰの外側に延在した部分は、例えば、電源などとの電気的な接続に用いられる。
【００３４】
また、この例では、第１導電層６１と反対側の端部において、第１電極１０の一部が、空間ＳＰの外側に延在している。これにより、第１電極１０の空間ＳＰの外側に延在した部分は、第１電極１０の電極パッドとして機能する。すなわち、この例では、第１基板５１のＸ軸方向に延びる一方の辺に第１電極１０の電極パッドが設けられ、第１基板５１のＸ軸方向に延びる他方の辺に第２電極２０の電極パッドが設けられる。
【００３５】
第１電極１０の空間ＳＰの外側に延在した部分の上には、導電層６５が設けられている。換言すれば、導電層６５は、第２領域Ｒ２において第１電極１０の上に設けられる。導電層６５の一部は、空間ＳＰ内に設けられ、導電層６５の別の一部は、空間ＳＰの外側に延在する。導電層６５は、例えば、金属層である。導電層６５には、例えば、第１導電層６１と実質的に同じ材料が用いられる。導電層６５の導電率は、第１電極１０の導電率よりも高い。導電層６５は、例えば、第１電極１０の補助配線として機能する。
【００３６】
第１電極１０と第１導電層６１との間には、光透過性の絶縁層４２が設けられている。絶縁層４２は、第１電極１０のＹ軸方向の端部を覆う。第２電極２０は、絶縁層４２の上に設けられ、第１導電層６１の上に延在する。これにより、例えば、第１電極１０と第２電極２０との短絡が抑制される。
【００３７】
有機層３０と導電層６５との間には、光透過性の絶縁層４４が設けられる。絶縁層４４は、導電層６５のＹ軸方向の端部を覆う。第２電極２０のＹ軸方向の延在部２０ｅと反対側の端部は、絶縁層４４の上に位置する。これにより、例えば、第２電極２０と導電層６５（第１電極１０）との短絡が抑制される。
【００３８】
第１電極１０と第２電極２０（第１導電層６１）とを用いて有機層３０に電流を流す。これにより、有機層３０が発光する。有機層３０は、例えば、電流が流れた場合に、電子と正孔とを再結合させ、励起子を生成する。有機層３０は、例えば、励起子が放射失活する際の光の放出を利用して発光する。
【００３９】
照明装置１１０では、有機層３０のうちの露呈部１０ｐと導電部２０ａとの間の部分が、発光部ＥＵとなる。この例において、有機層３０は、複数の露呈部１０ｐと複数の導電部２０ａとの間の複数の発光部ＥＵを有する。発光部ＥＵから発せられた発光ＥＬは、第１電極１０を介して、照明装置１１０の外部に出射する。発光ＥＬの一部は、第２電極２０で反射し、有機層３０及び第１電極１０を介して外部に出射する。すなわち、照明装置１１０は、片面発光型である。
【００４０】
また、照明装置１１０では、外部から入射する外光ＯＬが、複数の導電部２０ａのそれぞれの間の部分の第１電極１０、有機層３０、絶縁層４０、第１基板５１及び第２基板５２を透過する。このように、照明装置１１０は、発光ＥＬを出射させつつ、外部から照明装置１１０に入射する外光ＯＬを透過させる。このように、照明装置１１０は、光透過性を有する。これにより、照明装置１１０では、照明装置１１０を介して、背景の像を視認できる。すなわち、照明装置１１０は、シースルー可能な薄膜状または板状の光源である。
【００４１】
このように、照明装置１１０によれば、光透過性の照明装置を提供できる。この照明装置１１０の場合、照明機能の他に、背景像を透過させる機能により、種々の新たな応用が可能になる。
【００４２】
この例では、第１電極１０が、隣り合う２つの発光部ＥＵにおいて連続している。隣り合う２つの発光部ＥＵの一方に含まれる第１電極１０は、隣り合う２つの発光部ＥＵの他方に含まれる第１電極１０と連続する。
【００４３】
同様に、有機層３０は、隣り合う２つの発光部ＥＵにおいて連続している。この例では、隣り合う２つの発光部ＥＵにおいて、共通に形成された有機層３０が用いられる。隣り合う２つの発光部ＥＵの一方に含まれる有機層３０の材料は、隣り合う２つの発光部ＥＵの他方に含まれる有機層３０の材料と実質的に同じである。従って、隣り合う２つの発光部ＥＵの一方から放出される発光ＥＬの波長は、隣り合う２つの発光部ＥＵの他方から放出される発光ＥＬの波長と実質的に同じである。例えば、一方の発光ＥＬのピーク波長は、他方の発光ＥＬのピーク波長の０．８倍以上１．２倍以下である。換言すれば、隣り合う２つの発光部ＥＵの一方から放出される発光ＥＬの色は、隣り合う２つの発光部ＥＵの他方から放出される発光ＥＬの色と実質的に同じである。
【００４４】
また、第２電極２０の各導電部２０ａは、スイッチング素子などを介することなく導電性部材を介して互いに電気的に接続されている。これにより、各導電部２０ａは、実質的に一定の電位に設定される。従って、照明装置１１０では、第１電極１０と第２電極２０との間に１種類の電圧を印加するだけで、各発光部ＥＵのそれぞれから実質的に一定の光量の発光ＥＬが放出される。照明装置１１０では、各発光部ＥＵのそれぞれから実質的に一定の色及び光量の発光ＥＬが放出される。照明装置１１０では、例えば、発光領域（第１領域Ｒ１）の全面において、実質的に均一の色及び光量の光が放出される。各導電部２０ａを電気的に接続する導電性部材の材料は、導電部２０ａの材料と異なってもよいし、同じでもよい。すなわち、各導電部２０ａのそれぞれは、連続していてもよい。
【００４５】
なお、第１電極１０及び有機層３０は、隣り合う２つの発光部ＥＵにおいて必ずしも連続していなくてもよい。例えば、連続しない場合においても、パターニングなどにより、第１電極１０及び有機層３０は、隣り合う２つの発光部ＥＵにおいて、共通に形成される。
【００４６】
図３は、第１の実施形態に係る照明装置の一部を拡大して模式的に表す拡大平面図である。  
図３に表したように、第１導電層６１は、第２領域Ｒ２の上に設けられた光反射性の導電部６１ｄと、並べて配置された複数の開口６１ｈと、を有する。この例において、各開口６１ｈは、Ｘ軸方向及びＹ軸方向に二次元マトリクス状に並ぶ。すなわち、この例において、第１導電層６１は、正方格子状である。
【００４７】
図示は省略するが、第１電極１０の上に設けられた導電層６５も同様に、並べて配置された複数の開口を有する。これにより、照明装置１１０では、発光領域である第１領域Ｒ１のみならず、周辺領域である第２領域Ｒ２においても光透過性を持たせることができる。
【００４８】
ここで、各開口６１ｈのＹ軸方向（第１方向）の長さをＬｈ１とする。各開口６１ｈのＸ軸方向（第２方向）の長さをＬｈ２とする。各導電部２０ａの延在部２０ｅのＹ軸方向の長さをＬｄ１とする。各導電部２０ａのＸ軸方向の長さをＬｄ２とする。
【００４９】
照明装置１１０において、各開口６１ｈのＹ軸方向の長さＬｈ１は、各導電部２０ａの延在部２０ｅのＹ軸方向の長さＬｄ１よりも短い。各開口６１ｈのＸ軸方向の長さＬｈ２は、各導電部２０ａのＸ軸方向の長さＬｄ２よりも短い。すなわち、照明装置１１０において、第２電極２０及び第１導電層６１は、Ｌｈ１＜Ｌｄ１、及び、Ｌｈ２＜Ｌｄ２の関係を満たす。なお、複数ある開口６１ｈのＹ軸方向（第１方向）の長さが異なる場合には、その平均値をＬｈ１とする。各開口６１ｈのＸ軸方向（第２方向）の長さが異なる場合には、その平均値をＬｈ２とする。各導電部２０ａの延在部２０ｅのＹ軸方向の長さが異なる場合には、その平均値をＬｄ１とする。各導電部２０ａのＸ軸方向の長さが異なる場合には、その平均値をＬｄ２とする。
【００５０】
また、照明装置１１０では、各開口６１ｈのＹ軸方向の間隔Ｐｈ１が、各導電部２０ａの延在部２０ｅのＹ軸方向の長さＬｄ１よりも短い。各開口６１ｈのＸ軸方向の間隔Ｐｈ２が、各導電部２０ａのＸ軸方向の間隔Ｐｄよりも短い。間隔Ｐｈ１、Ｐｈ２は、換言すれば、第１導電層６１の導電部（金属配線部分）の長さである。
【００５１】
第２電極２０の成形には、例えば、真空蒸着法が用いられる。このため、第１電極１０のように第２電極２０を外部に露出させて電極パッドとして用いると、強度の不足が懸念される。例えば、照明装置１１０の信頼性が低下してしまう。
【００５２】
このため、第２電極２０については、第１基板５１の上に電極パッドとなる第１導電層６１を設け、封止された空間ＳＰ内で第２電極２０と第１導電層６１とを電気的に接続する。第１基板５１の上に形成する第１導電層６１においては、有機層３０の上に形成する第２電極２０に比べて、成膜の自由度が高い。第１導電層６１では、第２電極２０に比べて、高い強度の膜を成膜し易い。このように、第１導電層６１を設けることにより、パッド部分における強度の低下を抑制することができる。例えば、照明装置１１０の信頼性の低下を抑制することができる。第１導電層６１の成形には、例えば、スパッタリングが用いられる。これにより、第１導電層６１の強度を第２電極２０の強度よりも高めることができる。
【００５３】
一方、光反射性の第１導電層６１を帯状に形成すると、第１導電層６１が視認されてしまう。すなわち、周辺領域において光透過性が得られなくなってしまう。このため、第１導電層６１に複数の開口６１ｈを設ける。これにより、周辺領域においても、光透過性を得ることができる。
【００５４】
例えば、第１導電層６１の導電部６１ｄの形状を、第２電極２０の各導電部２０ａの幅（長さＬｄ２）及びピッチ（間隔Ｐｄ）と実質的に同じにすることが考えられる。この場合、第２電極２０が設けられた素子領域の光の透過度と第１導電層６１が設けられた周辺領域の光の透過度とを実質的に同じにすることができる。例えば、照明装置において良好な光の透過特性を得ることができる。
【００５５】
しかしながら、第１導電層６１の形状を第２電極２０の各導電部２０ａの形状と実質的に同じにすると、各導電部２０ａと第１導電層６１との位置合わせが難しくなる。例えば、第１導電層６１と電気的に接続されない導電部２０ａが生じてしまう可能性がある。また、例えば、第１導電層６１の導電部６１ｄのピッチが各導電部２０ａのピッチに対して半周期ずれ、開口部２０ｂの部分が第１導電層６１で埋められてしまうと、周辺領域に不透過の部分が生じてしまう。そして、第２電極２０の位置と第１導電層６１の位置とを厳密に合わせようとすると、照明装置の生産性が低下してしまう。このように、光透過性の照明装置では、発光領域周辺の電極パッド部分などにも光透過性を持たせることが行われている。そして、発光領域の周辺に光透過性を持たせた場合の信頼性の向上が望まれている。
【００５６】
これに対して、本実施形態に係る照明装置１１０では、第１導電層６１に複数の開口６１ｈを設け、第２電極２０及び第１導電層６１が、Ｌｈ１＜Ｌｄ１、及び、Ｌｈ２＜Ｌｄ２の関係を満たすようにしている。
【００５７】
これにより、照明装置１１０では、第２電極２０の形成の際に、第２電極２０のＸ軸方向の位置がずれたとしても、各導電部２０ａが必ず第１導電層６１と電気的に接続されるようになる。換言すれば、第２電極２０のＸ軸方向の位置がずれたとしても、各導電部２０ａが必ず第１導電層６１の上に重なる。
【００５８】
従って、照明装置１１０では、周辺領域に光透過性を持たせた場合にも、電極パッド部分の強度不足や各導電部２０ａの導電不良などを抑制し、高い信頼性を得ることができる。また、照明装置１１０では、第２電極２０の形成において高い位置合わせ精度を要求する必要が無い。従って、照明装置１１０では、例えば、照明装置１１０の生産性を向上させることもできる。なお、この例において、第２電極２０及び第１導電層６１は、少なくともＬｈ２＜Ｌｄ２の関係を満たせばよい。
【００５９】
また、照明装置１１０では、各開口６１ｈのＹ軸方向の間隔Ｐｈ１を、各導電部２０ａの延在部２０ｅのＹ軸方向の長さＬｄ１よりも短くしている。各開口６１ｈのＸ軸方向の間隔Ｐｈ２を、各導電部２０ａのＸ軸方向の間隔Ｐｄよりも短くしている。これにより、照明装置１１０では、各導電部２０ａの間の部分が、第１導電層６１で塞がれ、不透過の部分が生じてしまうことを抑制することができる。周辺領域において、良好な光透過性を得ることができる。
【００６０】
図４（ａ）及び図４（ｂ）は、第１の実施形態に係る照明装置の一部を表す模式図である。  
図４（ａ）は、照明装置１１０の一部を表す模式的断面図であり、図４（ｂ）は、照明装置１１０の一部を表す模式的平面図である。  
図４（ａ）に表したように、有機層３０は、第１層３１を含む。有機層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００６１】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、これらの材料に限定されない。
【００６２】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4”−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層３２は、これらの材料に限定されない。
【００６３】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００６４】
例えば、有機層３０から放出される光は、実質的に白色光である。すなわち、照明装置１１０から出射する光は白色光である。ここで、「白色光」は、実質的に白色であり、例えば、赤色系、黄色系、緑色系、青色系及び紫色系などの白色の光も含む。有機層３０から放出される光の色温度は、例えば、２６００Ｋ以上７０００Ｋ以下である。
【００６５】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００６６】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００６７】
なお、第１電極１０を陰極とし、第２電極２０を陽極とし、第２層３２を電子注入層または電子輸送層として機能させ、第３層３３を正孔注入層または正孔輸送層として機能させてもよい。
【００６８】
第１電極１０の厚さ（Ｚ軸方向の長さ）は、例えば、１０ｎｍ以上５００ｎｍ以下である。より好ましくは５０ｎｍ以上２００ｎｍ以下である。有機層３０の厚さは、例えば、１０ｎｍ以上５００ｎｍ以下である。第２電極２０の厚さは、例えば、１０ｎｍ以上３００ｎｍ以下である。
【００６９】
第１基板５１及び第２基板５２には、例えば、ガラスや樹脂材料などが用いられる。第１基板５１及び第２基板５２には、例えば、ポリイミド、ＰＥＴ、ＰＥＮなどの光透過性と可撓性とを有する材料を用いてもよい。
【００７０】
絶縁層４０には、例えば、ポリイミド樹脂、アクリル樹脂、ポリビニルフェノール（ＰＶＰ）、ＰＭＭＡ、フッ素樹脂などの有機絶縁材料が用いられる。絶縁層４０には、例えば、シリコン酸化膜（例えばＳｉＯ２）、シリコン窒化膜（例えばＳｉＮ）、シリコン酸窒化膜（例えばＳｉＯＮ）または、フッ化マグネシウム（ＭｇＦ２）、フッ化リチウム（ＬｉＦ）、フッ化アルミニウム（ＡｌＦ３）、酸化アルミニウム（Ａｌ２Ｏ３）、酸化モリブデン（ＭｏＯｘ）、フッ化カルシウム（ＣａＦ）などの無機絶縁材料などを用いてもよい。なお、絶縁層４０は、これらの材料に限定されない。
【００７１】
図４（ｂ）に表したように、導電部２０ａのＸ軸方向の長さＬｄ２（幅）は、例えば、１μｍ以上５００μｍ以下である。複数の導電部２０ａのピッチＰｔ１は、例えば、２μｍ以上２０００μｍ以下である。より好ましくは、２μｍ以上１０００μｍ以下である。ピッチＰｔ１は、例えば、隣り合う２つの導電部２０ａのＸ軸方向の中心間のＸ軸方向の距離である。絶縁部４０ａのＹ軸方向に延在する部分の幅は、例えば、１μｍ以上１５００μｍ以下である。絶縁部４０ａのＹ軸方向に延在する部分のピッチＰｔ２は、例えば、２μｍ以上２０００μｍ以下である。
【００７２】
図５は、第１の実施形態に係る別の照明装置の一部を模式的に表す平面図である。  
図５に表したように、この例では、第２電極２０が、Ｙ軸方向に延びＸ軸方向に並ぶ複数の第１導電部２１（２０ａ）と、Ｘ軸方向に延びＹ軸方向に並ぶ複数の第２導電部２２と、を含む。この例では、複数の開口部２０ｂが、二次元マトリクス状に並べて配置される。このように、第２電極２０は、ストライプ状に限ることなく、格子状でもよい。
【００７３】
格子状の第２電極２０において、各第１導電部２１の幅Ｗｘは、１μｍ以上５００μｍ以下である。各第１導電部２１のピッチＰｘは、例えば、２μｍ以上２０００μｍ以下である。各第２導電部２２の幅Ｗｙは、１μｍ以上５００μｍ以下である。各第２導電部２２のピッチＰｙは、例えば、２μｍ以上２０００μｍ以下である。
【００７４】
図６（ａ）及び図６（ｂ）は、第１の実施形態に係る別の照明装置を模式的に表す断面図である。  
図６（ａ）に表したように、照明装置１１１は、第２導電層６２をさらに含む。第２導電層６２は、第１導電層６１と第１基板５１の第２領域Ｒ２との間に設けられる。第２導電層６２は、光透過性を有する。第２導電層６２は、例えば、開口を有しない連続膜である。第２導電層６２は、例えば、第１電極１０と実質的に同じ材料を含む。第２導電層６２は、例えば、第１電極１０と共通に形成される。
【００７５】
このように、第２領域Ｒ２の上に第２導電層６２をさらに設けてもよい。これにより、例えば、第１導電層６１の開口６１ｈの部分においても、外部との電気的な接続が得られるようになる。例えば、第２電極２０の電極パッドにおいて、外部機器の端子などとの接触性を高めることができる。第２電極２０の電極パッドにおいて、配線性を高めることができる。例えば、第１導電層６１を形成する面の平坦性を高め、第１導電層６１の形成精度を高めることができる。
【００７６】
図６（ｂ）に表したように、照明装置１１２では、第１導電層６１が、封止された空間ＳＰ内に設けられている。このように、第２導電層６２を設ける場合、第１導電層６１は、空間ＳＰ内に設けてもよい。
【００７７】
図７（ａ）及び図７（ｂ）は、第１の実施形態に係る別の照明装置を表す模式図である。  
図７（ａ）は、図３に対応する拡大平面図であり、図７（ｂ）は、図７（ａ）のＣ１−Ｃ２線断面を模式的に表す部分断面図である。  
図７（ａ）及び図７（ｂ）に表したように、照明装置１１４は、絶縁層６４をさらに含む。絶縁層６４は、第１導電層６１の上に設けられる。絶縁層６４は、第１導電層６１の少なくとも一部を露出させる開口６４ｈを有する。絶縁層６４は、光透過性である。各導電部２０ａの延在部２０ｅは、絶縁層６４の上に延在する。すなわち、絶縁層６４は、第１導電層６１と各導電部２０ａの延在部２０ｅとの間に設けられる。各導電部２０ａの延在部２０ｅは、絶縁層６４の開口６４ｈを介して第１導電層６１と電気的に接続される。延在部２０ｅは、例えば、第１導電層６１のうちの開口６４ｈに露呈された部分に接する。
【００７８】
この例において、開口６４ｈの形状は、正方格子状である。絶縁層６４は、例えば、第１導電層６１の各開口６１ｈの外縁を覆う。これにより、例えば、各導電部２０ａのステップカバレッジを高めることができる。開口６４ｈの形状は、第１導電層６１の形状に応じた任意の形状でよい。絶縁層６４は、例えば、複数の開口６４ｈを有してもよい。
【００７９】
また、絶縁層６４は、第１導電層６１の各開口６１ｈを塞ぎ、各導電部２０ａが第２導電層６２に直接接することを抑制する。
【００８０】
例えば、第２電極２０にアルミニウムが用いられ、第２導電層６２にＩＴＯが用いられている場合、第２電極２０が第２導電層６２に直接接すると、第２電極２０と第２導電層６２とが接する部分において、第２導電層６２の特性が劣化してしまう可能性がある。例えば、第２電極２０と第２導電層６２との接触部分が変色し、光透過性が損なわれてしまう。例えば、照明装置の保管寿命が低下してしまう。
【００８１】
照明装置１１４では、絶縁層６４により、第１導電層６１の各開口６１ｈの部分において、第２電極２０が第２導電層６２に直接接することを抑制する。これにより、例えば、第２導電層６２の劣化を抑制することできる。例えば、照明装置１１４の保管寿命の低下を抑制できる。例えば、照明装置１１４の信頼性をより高めることができる。
【００８２】
図８は、第１の実施形態に係る別の照明装置の一部を拡大して模式的に表す拡大平面図である。  
図８に表したように、照明装置１１６では、第１導電層６１の各開口６１ｈが、六角形状である。すなわち、照明装置１１６では、第１導電層６１が、六角格子状である。このように、第１導電層６１の形状は、正方格子状に限ることなく、六角格子状でもよい。
【００８３】
六角格子状の第１導電層６１においても、各開口６１ｈのＹ軸方向の長さＬｈ１を、各導電部２０ａの延在部２０ｅのＹ軸方向の長さＬｄ１よりも短くする。各開口６１ｈのＸ軸方向の長さＬｈ２を、各導電部２０ａのＸ軸方向の長さＬｄ２よりも短くする。第２電極２０及び第１導電層６１が、Ｌｈ１＜Ｌｄ１、及び、Ｌｈ２＜Ｌｄ２の関係を満たすようにする。
【００８４】
これにより、上記実施形態と同様に、第２電極２０の形成の際に、第２電極２０のＸ軸方向の位置がずれたとしても、各導電部２０ａを必ず第１導電層６１と電気的に接続することができる。なお、この例においても、第２電極２０及び第１導電層６１は、少なくともＬｈ２＜Ｌｄ２の関係を満たせばよい。
【００８５】
図９は、第１の実施形態に係る別の照明装置の一部を拡大して模式的に表す拡大平面図である。  
図９に表したように、照明装置１１８では、第１導電層６１の各開口６１ｈが、Ｙ軸方向に延び、Ｘ軸方向に並ぶ。すなわち、照明装置１１８では、第１導電層６１が、各導電部２０ａに対して実質的に平行なストライプ状である。このように、第１導電層６１の形状は、各導電部２０ａと平行なストライプ状でもよい。なお、第１導電層６１のストライプ状の導電部６１ｄは、例えば、Ｙ軸方向の端部などにおいて、それぞれ電気的に接続される。
【００８６】
照明装置１１８の第１導電層６１においては、各開口６１ｈのＸ軸方向の長さＬｈ２を、各導電部２０ａのＸ軸方向の長さＬｄ２よりも短くする。第２電極２０及び第１導電層６１が、Ｌｈ２＜Ｌｄ２の関係を満たすようにする。これにより、各導電部２０ａを必ず第１導電層６１と電気的に接続することができる。
【００８７】
図１０は、第１の実施形態に係る別の照明装置の一部を拡大して模式的に表す拡大平面図である。  
図１０に表したように、照明装置１２０では、第１導電層６１の各開口６１ｈが、Ｘ軸方向に延び、Ｙ軸方向に並ぶ。すなわち、照明装置１２０では、第１導電層６１が、各導電部２０ａに対して実質的に垂直なストライプ状である。このように、第１導電層６１の形状は、各導電部２０ａと垂直なストライプ状でもよい。なお、第１導電層６１のストライプ状の導電部６１ｄは、例えば、Ｘ軸方向の端部などにおいて、それぞれ電気的に接続される。
【００８８】
照明装置１２０の第１導電層６１においては、各開口６１ｈのＹ軸方向の長さＬｈ１を、各導電部２０ａの延在部２０ｅのＹ軸方向の長さＬｄ１よりも短くする。第２電極２０及び第１導電層６１が、Ｌｈ１＜Ｌｄ１の関係を満たすようにする。これにより、各導電部２０ａを必ず第１導電層６１と電気的に接続することができる。このように、第２電極２０及び第１導電層６１は、各開口６１ｈの形状などに応じて、Ｌｈ１＜Ｌｄ１、及び、Ｌｈ２＜Ｌｄ２の少なくとも一方を満たせばよい。
【００８９】
図１１は、第１の実施形態に係る別の照明装置の一部を拡大して模式的に表す拡大平面図である。  
図１１に表したように、照明装置１２２では、第１導電層６１の各開口６１ｈが、Ｙ軸方向に対して傾斜した傾斜方向に延び、傾斜方向に対して垂直な方向に並ぶ。すなわち、照明装置１２２では、第１導電層６１が、各導電部２０ａに対して傾斜したストライプ状である。このように、第１導電層６１の形状は、各導電部２０ａに対して傾斜したストライプ状でもよい。なお、第１導電層６１のストライプ状の導電部６１ｄは、例えば、傾斜方向の端部などにおいて、それぞれ電気的に接続される。
【００９０】
照明装置１２２の第１導電層６１においては、各開口６１ｈのＹ軸方向の長さＬｈ１を、各導電部２０ａの延在部２０ｅのＹ軸方向の長さＬｄ１よりも短くする。または、各開口６１ｈのＸ軸方向の長さＬｈ２を、各導電部２０ａのＸ軸方向の長さＬｄ２よりも短くする。第２電極２０及び第１導電層６１が、Ｌｈ１＜Ｌｄ１、及び、Ｌｈ２＜Ｌｄ２の少なくとも一方を満たすようにする。これにより、各導電部２０ａを必ず第１導電層６１と電気的に接続することができる。
【００９１】
図１２（ａ）〜図１２（ｇ）は、第１の実施形態に係る別の照明装置を模式的に表す平面図である。  
図１２（ａ）〜図１２（ｇ）は、図１（ｂ）の状態に相当している。  
図２及び図１２（ａ）に表したように、上記実施形態の照明装置１１０では、第１電極１０の電極パッドが、四角形状の第１基板５１のＸ軸方向に延びる一方の辺に沿う。そして、第２電極２０の電極パッドが、第１基板５１のＸ軸方向に延びる他方の辺に沿う。
【００９２】
図１２（ｂ）に表したように、照明装置１３１では、第１電極１０の電極パッドが、第１基板５１のＸ軸方向に延びる一方の辺に沿うとともに、第１基板５１のＹ軸方向に延びる一方の辺に沿う。そして、第２電極２０の電極パッドが、第１基板５１のＸ軸方向に延びる他方の辺に沿うとともに、第１基板５１のＹ軸方向に延びる他方の辺に沿う。すなわち、照明装置１３１では、第１電極１０の電極パッド、及び、第２電極２０の電極パッドのそれぞれが、略Ｌ字状である。略Ｌ字状の第１電極１０の電極パッドは、例えば、Ｘ軸方向の一端及びＹ軸方向の一端において、第１電極１０を空間ＳＰの外側に延在させることによって形成される。略Ｌ字状の第２電極２０の電極パッドは、例えば、第１導電層６１及び第２導電層６２の少なくとも一方を略Ｌ字状にすることによって形成される。
【００９３】
図１２（ｃ）に表したように、照明装置１３２では、第１電極１０の電極パッドが、第１基板５１のＸ軸方向に延びる一方の辺に沿うとともに、第１基板５１のＹ軸方向に延びる一対の辺に沿う。そして、第２電極２０の電極パッドが、第１基板５１のＸ軸方向に延びる他方の辺に沿う。すなわち、この例では、第１電極１０の電極パッドが略Ｕ字状であり、第２電極２０の電極パッドが帯状である。
【００９４】
図１２（ｄ）に表したように、照明装置１３３では、第１電極１０の電極パッドが、第１基板５１のＸ軸方向に延びる一方の辺に沿うとともに、第１基板５１のＹ軸方向に延びる一対の辺に沿う。そして、第２電極２０の電極パッドが、第１基板５１のＸ軸方向に延びる他方の辺に沿うとともに、第１基板５１のＹ軸方向に延びる一対の辺に沿う。すなわち、この例では、第１電極１０の電極パッド、及び、第２電極２０の電極パッドのそれぞれが、略Ｕ字状である。
【００９５】
図１２（ｅ）に表したように、照明装置１３４では、第１電極１０の電極パッドが、第１基板５１のＹ軸方向に延びる一対の辺に沿う。そして、第２電極２０の電極パッドが、第１基板５１のＸ軸方向に延びる一対の辺に沿う。第１基板５１のＸ軸方向に延びる一対の辺に沿う第２電極２０の電極パッドは、例えば、第１導電層６１を各導電部２０ａのＹ軸方向の両端に設けることによって形成される。
【００９６】
図１２（ｆ）に表したように、照明装置１３５では、各導電部２０ａが、Ｘ軸方向に延び、Ｙ軸方向に並ぶ。第１電極１０の電極パッドが、第１基板５１のＸ軸方向に延びる一対の辺に沿う。そして、第２電極２０の電極パッドが、第１基板５１のＹ軸方向に延びる一対の辺に沿う。このように、各電極パッドの配置及び形状は、任意でよい。
【００９７】
図１２（ｇ）に表したように、照明装置１３６では、各導電部２０ａが、Ｙ軸方向に延び、Ｘ軸方向に並ぶとともに、Ｙ軸方向に並ぶ。そして、Ｙ軸方向に並ぶ２つの導電部２０ａが、直列に接続される。このように、複数の導電部２０ａは、延在する方向に並べて配置し、直接に接続してもよい。延在する方向に並べる導電部２０ａの数は、２つに限ることなく、３つ以上でもよい。
【００９８】
図１３は、第１の実施形態に係る別の照明装置の一部を模式的に表す断面図である。  
図１３では、照明装置１４０の素子部５４のみを便宜的に図示している。第１基板５１及び第２基板５２などは、上記各実施形態と同様であるから、説明を省略する。
【００９９】
図１３に表したように、照明装置１４０では、素子部５４において、複数の有機層３０が設けられている。複数の有機層３０のそれぞれは、例えば、Ｘ−Ｙ平面に投影した時に、複数の導電部２０ａのそれぞれと重なる位置に配置される。このように、有機層３０は、第１電極１０と導電部２０ａとの間の部分にだけ設けてもよい。
【０１００】
図１４は、第１の実施形態に係る別の照明装置を表す模式図である。  
図１４に表したように、本実施形態に係る照明装置１５０は、電源部９０をさらに含む。電源部９０は、第１電極１０と第２電極２０とに電気的に接続される。電源部９０は、第１電極１０及び第２電極２０を介して有機層３０に電流を供給する。これにより、電源部９０からの電流の供給によって、有機層３０から光が放出される。
【０１０１】
（第２の実施形態）  
図１５（ａ）〜図１５（ｃ）は、第２の実施形態に係る照明システムを表す模式図である。  
図１５（ａ）に表したように、本実施形態に係る照明システム２１１は、第１の実施形態に係る複数の照明装置（例えば照明装置１１０）と、制御部２０１と、を備える。
【０１０２】
制御部２０１は、複数の照明装置１１０のそれぞれと電気的に接続され、複数の照明装置１１０のそれぞれの発光・非発光を制御する。制御部２０１は、例えば、複数の照明装置１１０のそれぞれの第１電極１０及び第２電極２０と電気的に接続される。これにより、制御部２０１は、複数の照明装置１１０のそれぞれの発光・非発光を個別に制御する。
【０１０３】
図１５（ｂ）に表したように、照明システム２１２では、複数の照明装置１１０のそれぞれが、直列に接続されている。制御部２０１は、複数の照明装置１１０のうちの１つの照明装置１１０の第１電極１０と電気的に接続される。そして、制御部２０１は、複数の照明装置１１０のうちの別の１つの照明装置１１０の第２電極２０と電気的に接続される。これにより、制御部２０１は、複数の照明装置１１０のそれぞれの発光・非発光をまとめて制御する。このように、制御部２０１は、複数の照明装置１１０のそれぞれの発光・非発光を個別に制御してもよいし、まとめて制御してもよい。
【０１０４】
図１５（ｃ）に表したように、照明システム２１３は、電源部９０をさらに含む。この例では、照明システム２１３が、複数の電源部９０を含む。複数の電源部９０のそれぞれは、複数の照明装置１１０のそれぞれと電気的に接続されている。
【０１０５】
照明システム２１３では、制御部２０１が、複数の電源部９０のそれぞれと電気的に接続されている。すなわち、照明システム２１３では、制御部２０１が、複数の電源部９０のそれぞれを介して複数の照明装置１１０のそれぞれと電気的に接続される。制御部２０１は、例えば、各電源部９０に対して制御信号を入力する。各電源部９０は、制御部２０１からの制御信号に応じて、照明装置１１０に電流を供給し、照明装置１１０を発光させる。
【０１０６】
このように、制御部２０１は、電源部９０を介して複数の照明装置１１０の発光・非発光を制御してもよい。この例では、複数の電源部９０が、複数の照明装置１１０のそれぞれに接続されている。これに限ることなく、例えば、１つの電源部９０を複数の照明装置１１０のそれぞれに接続してもよい。例えば、１つの電源部９０が、制御部２０１からの制御信号に応じて、複数の照明装置１１０のそれぞれに選択的に電流を供給できるようにしてもよい。また、制御部２０１と電源部９０との間の電気的な接続は、有線でもよいし、無線でもよい。制御部２０１からの制御信号は、例えば、無線通信で電源部９０に入力してもよい。
【０１０７】
本実施形態に係る照明システム２１１〜２１３によれば、光透過性を有し、かつ、高い信頼性の照明システムを提供できる。
【０１０８】
実施形態によれば、光透過性を有し、かつ、高い信頼性の照明装置及び照明システムが提供される。
【０１０９】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。本願明細書において、「上に設けられる」状態は、直接接して設けられる状態の他に、間に他の要素が挿入されて設けられる状態も含む。「積層される」状態は、互いに接して重ねられる状態の他に、間に他の要素が挿入されて重ねられる状態も含む。「対向する」状態は、直接的に面する状態の他に、間に他の要素が挿入されて面する状態も含む。本願明細書において、「電気的に接続」には、直接接触して接続される場合の他に、他の導電性部材などを介して接続される場合も含む。
【０１１０】
以上、具体例を参照しつつ、本発明の実施の形態について説明した。  
しかし、本発明の実施形態は、これらの具体例に限定されるものではない。例えば、照明装置及び照明システムに含まれる、第１基板、第２基板、第１電極、第２電極、有機層、第１導電層、第２導電層、封止部、電源部及び制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１１１】
その他、本発明の実施の形態として上述した照明装置及び照明システムを基にして、当業者が適宜設計変更して実施し得る全ての照明装置及び照明システムも、本発明の要旨を包含する限り、本発明の範囲に属する。
【０１１２】
その他、本発明の思想の範疇において、当業者であれば、各種の変更例及び修正例に想到し得るものであり、それら変更例及び修正例についても本発明の範囲に属するものと了解される。
【０１１３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１４】
１０…第１電極、  ２０…第２電極、  ２０ａ…導電部、  ２０ｅ…延在部、  ３０…有機層、  ３１…第１層、  ３２…第２層、  ３３…第３層、  ４０…絶縁層、  ４２…絶縁層、  ４４…絶縁層、  ５１…第１基板、  ５２…第２基板、  ５４…素子部、  ５８…封止部、  ６１…第１導電層、  ６１ｈ…開口、  ６２…第２導電層、  ６４…絶縁層、  ６４ｈ…開口、  ６５…導電層、  ９０…電源部、  １１０、１１１、１１２、１１４、１１６、１１８、１２０、１２２、１３１〜１３６、１４０、１５０…照明装置、  ２０１…制御部、  ２１１〜２１３…照明システム、  Ｒ１…第１領域、  Ｒ２…第２領域、  ＳＰ…空間
【図１】
2017204324.tif 000003
【図２】
2017204324.tif 000004
【図３】
2017204324.tif 000005
【図４】
2017204324.tif 000006
【図５】
2017204324.tif 000007
【図６】
2017204324.tif 000008
【図７】
2017204324.tif 000009
【図８】
2017204324.tif 000010
【図９】
2017204324.tif 000011
【図１０】
2017204324.tif 000012
【図１１】
2017204324.tif 000013
【図１２】
2017204324.tif 000014
【図１３】
2017204324.tif 000015
【図１４】
2017204324.tif 000016
【図１５】
2017204324.tif 000017